(57)【要約】  柔軟な帯域幅での運用に必要なパラメータを適切に決定することができる基地局。基地局１００において、制御部１０１は、第１の帯域と、第１の帯域に対する追加帯域であるセグメントとから構成される第２の帯域に対するパラメータを決定し、送信部１１３は、パラメータを用いて、第２の帯域で端末と通信を行う。
2020504468.tif 000002
【特許請求の範囲】
【請求項１】
第１の帯域と、前記第１の帯域に対する追加帯域であるセグメントとから構成される第２の帯域に対するパラメータを決定する回路と、
前記パラメータを用いて、前記第２の帯域で端末と通信を行う送受信機と、
を具備する基地局。
【請求項２】
前記パラメータは、前記第２の帯域に設定されるリソースブロックグループ（RBG）サイズであり、
前記回路は、前記第２の帯域の帯域幅に基づいて、前記RBGサイズを決定する、
請求項１に記載の基地局。
【請求項３】
前記パラメータは、前記第２の帯域に設定されるリソースブロックグループ（RBG）サイズであり、
前記回路は、前記第１の帯域の帯域幅に基づいて設定されるRBGサイズのX倍（ただし、Xは２以上の整数）を、前記第２の帯域のRBGサイズに決定する、
請求項１に記載の基地局。
【請求項４】
前記パラメータは、前記第２の帯域に設定されるリソースブロックグループ（RBG）サイズであり、
前記回路は、２のべき乗を、前記RBGサイズに決定する、
請求項１に記載の基地局。
【請求項５】
前記RBGサイズは可変であり、前記RBGサイズは前記基地局から前記端末へ通知される、
請求項２〜４の何れかに記載の基地局。
【請求項６】
前記回路は、前記第２の帯域に設定される複数の前記RBGの境界と、前記第１の帯域と前記セグメントとの境界と、が一致するように、前記RBGを設定する、
請求項２〜４の何れかに記載の基地局。
【請求項７】
第１の帯域と、前記第１の帯域に対する追加帯域であるセグメントとから構成される第２の帯域に対するパラメータを決定する回路と、
前記パラメータを用いて、前記第２の帯域で基地局と通信を行う送受信機と、
を具備する端末。
【請求項８】
第１の帯域と、前記第１の帯域に対する追加帯域であるセグメントとから構成される第２の帯域に対するパラメータを決定し、
前記パラメータを用いて、前記第２の帯域で端末と通信を行う、
通信方法。
【請求項９】
第１の帯域と、前記第１の帯域に対する追加帯域であるセグメントとから構成される第２の帯域に対するパラメータを決定し、
前記パラメータを用いて、前記第２の帯域で基地局と通信を行う、
通信方法。
【発明の詳細な説明】
【技術分野】
【０００１】
本開示は、基地局、端末及び通信方法に関する。
【背景技術】
【０００２】
近年のモバイルブロードバンドを利用したサービスの普及に伴い、モバイル通信におけるデータトラフィックは指数関数的に増加を続けており、将来に向けてデータ伝送容量の拡大が急務となっている。また、今後はあらゆる「モノ」がインターネットを介してつながるIoT（Internet of Things）の飛躍的な発展が期待されている。IoTによるサービスの多様化を支えるには、データ伝送容量だけではなく、低遅延性及び通信エリア（カバレッジ）などのさまざまな要件について、飛躍的な高度化が求められる。こうした背景を受けて、第４世代移動通信システム(4G: 4th Generation mobile communication systems)と比較して性能及び機能を大幅に向上する第５世代移動通信システム(5G)の技術開発・標準化が進められている。
【０００３】
4Gの無線アクセス技術（RAT: Radio Access Technology）の１つとして、3GPP（3rd Generation Partnership Project）により標準化されたLTE（Long Term Evolution）-Advancedがある。3GPPでは、5Gの標準化において、LTE-Advancedとは必ずしも後方互換性を持たない新しい無線アクセス技術（NR: New RAT）の技術開発を進めている。
【０００４】
LTE-Advancedの拡張では、既存のLTEにおける運用帯域幅（1.4、3、5、10、15及び20MHz)を拡張して、様々な帯域幅（例えば、1.8、2.0、2.2、4.4、4.6、6.0、6.2、7.0、7.8、8.0、11、14、18及び19MHz）を柔軟にサポートすることで、オペレータに割り当てられた周波数帯域を最大限に利用し、システムスループットを向上させることが検討されている（例えば、非特許文献１を参照）。
【０００５】
NRでは、数100MHzの運用帯域幅がサポートされることが想定される。一方で、端末の消費電力は、無線周波数(RF: Radio Frequency)帯域幅に比例して増加する。このため、NRにおいて、LTEのように端末がネットワークの運用帯域幅と同様の帯域幅で下りリンクの制御信号を受信する場合、端末の消費電力が増加する。そのため、NRでは、端末が下りリンクの制御信号をネットワークの運用帯域幅と比較して狭帯域で受信することを許容し、必要に応じて、端末のRF帯域幅を柔軟に変更できるようにする(例えば、データ信号を送受信する場合には端末のRF帯域幅を拡大する)ことが検討されている（例えば、非特許文献２，３を参照）。
【０００６】
帯域を拡張する方法の１つにLTE-Advancedで導入されているキャリアアグリゲーション(CA: Carrier Aggregation)がある。CAは、既存のLTEの運用帯域幅の帯域（コンポーネントキャリア）を複数組み合わせて帯域を拡張する方法である。そのため、上述した柔軟に帯域幅を変更できるシステムにCAを適用する場合、既存のLTEの運用帯域幅の組み合わせではいくつかの周波数帯域幅(例えば、1.8、2.0、2.2、4.6、6.2、7.0、14及び19MHz)を利用することができない。また、帯域幅の狭いコンポーネントキャリアを組み合わせるCAは、コンポーネントキャリア毎の制御信号の送信及びスケジューリングが必要であることから、制御信号のオーバヘッドが増大し、効率的ではない。また、端末は運用帯域幅が狭帯域の場合でもCAの能力を備える必要がある。例えば、11MHzの場合、端末には5MHz+3MHz+3MHzの３コンポーネントキャリアを組み合わせる能力が必要となる。よって、端末の複雑性が増加する。
【０００７】
そこで、CAの能力及びメカニズムを用いることなく帯域を拡張する方法として、既存のLTE帯域にセグメント(Segment)と呼ばれる拡張帯域を追加する方法が検討されている（例えば、非特許文献４を参照）。この方法では、既存のLTE帯域(Backward compatible carrier(BCC)とも呼ぶ)とセグメントとを１つの下りリンク制御信号でスケジューリングできるため、制御信号のオーバヘッドを削減することが可能である。また、この方法では、端末は運用帯域幅が狭帯域の場合でもCAの能力を備えることが不要であることから、端末の複雑性の削減が可能である。よって、上述した様々な帯域幅を柔軟にサポートシステムにおいて、セグメントを追加する方法は、CAのメカニズムよりも効率的である。
【先行技術文献】
【非特許文献】
【０００８】
【非特許文献１】RP-151890, "Motivation for new work item proposal on LTE bandwidth flexibility enhancements," Huawei, China Unicom, HiSilicon, RAN#70, December 2015.
【非特許文献２】R1-1613218, "Way Forward on UE bandwidth adaptation in NR," MediaTek, Acer, AT&T, CHTTL, Ericsson, III, InterDigital, ITRI, NTT Docomo, Qualcomm, Samsung, Verizon, RAN1#87, November 2016.
【非特許文献３】RAN1#85 chairman’s note
【非特許文献４】R1-130786, "Way Forward on synchronized carrier and segment," Panasonic, KDDI, AT&T, Qualcomm, Motorola Mobility, New Postcom, Interdigital, RAN1#72,February 2013.
【非特許文献５】3GPP TS 36.213 V13.3.0, "Evolved Universal Terrestrial Radio Access (E-UTRA); Physical layer procedures (Release 13),"September 2016.
【非特許文献６】3GPP TS 36.211 V13.3.0, “Evolved Universal Terrestrial Radio Access (E-UTRA); Physical   channels and modulation (Release 13)," September 2016.
【発明の概要】
【発明が解決しようとする課題】
【０００９】
上述したLTE-Advancedにおける様々な帯域幅を柔軟にサポートする無線通信システム、及び、NRにおける端末のRF帯域幅の柔軟な変更を可能する無線通信システムにおいて、セグメントを追加する方法を適用した場合、柔軟な帯域幅(例えば、セグメントを追加した後の帯域幅)での運用に必要なパラメータの決定方法等、詳細なメカニズムの検討が必要である。
【００１０】
本開示の一態様は、柔軟な帯域幅での運用に必要なパラメータを適切に決定することができる基地局、端末及び通信方法の提供に資する。
【課題を解決するための手段】
【００１１】
本開示の一態様に係る基地局は、前記第１の帯域と、前記第１の帯域に対する追加帯域であるセグメントとから構成される第２の帯域に対するパラメータを決定する回路と、前記パラメータを用いて、前記第２の帯域で前記端末と通信を行う送受信機と、を具備する。
【００１２】
本開示の一態様に係る端末は、前記第１の帯域と、前記第１の帯域に対する追加帯域であるセグメントとから構成される第２の帯域に対するパラメータを決定する回路と、前記パラメータを用いて、前記第２の帯域で基地局と通信を行う送受信機と、を具備する。
【００１３】
本開示の一態様に係る通信方法は、前記第１の帯域と、前記第１の帯域に対する追加帯域であるセグメントとから構成される第２の帯域に対するパラメータを決定し、前記パラメータを用いて、前記第２の帯域で前記端末と通信を行う。
【００１４】
本開示の一態様に係る通信方法は、前記第１の帯域と、前記第１の帯域に対する追加帯域であるセグメントとから構成される第２の帯域に対するパラメータを決定し、前記パラメータを用いて、前記第２の帯域で基地局と通信を行う。
【００１５】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１６】
本開示の一態様によれば、柔軟な帯域幅での運用に必要なパラメータを適切に決定することができる。
【００１７】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１８】
【図１】実施の形態１に係る基地局の構成を示すブロック図
【図２】実施の形態１に係る端末の構成を示すブロック図
【図３】実施の形態１に係る基地局の構成を示すブロック図
【図４】実施の形態１に係る端末の構成を示すブロック図
【図５】RBGの構成例を示す図
【図６】実施の形態１に係るRBGサイズの決定方法の流れを示す図
【図７】実施の形態１に係るRBGサイズの決定方法の一例を示す図
【図８】実施の形態１の変形例１に係るRBGサイズの決定方法の一例を示す図
【図９】実施の形態１の変形例２に係るRBGサイズの決定方法の一例を示す図
【図１０】実施の形態２の課題の説明に供する図
【図１１】実施の形態２に係るRBGサイズの決定方法の一例を示す図
【図１２】サブキャリア間隔の異なるNumerology間のRBグリッドの一例を示す図
【図１３】サブキャリア間隔の異なるNumerology間のRBグリッド及びRBGの一例を示す図
【図１４】実施の形態３に係るRBGサイズの決定方法の一例を示す図
【図１５】実施の形態４に係るRBGサイズの決定方法の一例を示す図
【図１６】第１の帯域とセグメントとが周波数軸上で非連続である場合のRBG設定例を示す図
【図１７】実施の形態５に係るRBGの決定方法の一例を示す図
【図１８】実施の形態６に係るRBGの決定方法の一例を示す図
【図１９】実施の形態７に係るPRGの決定方法の一例を示す図
【図２０】実施の形態８に係るPRGの決定方法の一例を示す図
【図２１】実施の形態９に係るCSIサブバンドサイズの決定方法の一例を示す図
【図２２】実施の形態１０に係るCSIサブバンドサイズの決定方法の一例を示す図
【図２３】実施の形態１１に係るSRSサブバンドサイズの決定方法の一例を示す図
【図２４】実施の形態１２に係るSRSサブバンドサイズの決定方法の一例を示す図
【発明を実施するための形態】
【００１９】
以下、本開示の実施の形態について図面を参照して詳細に説明する。
【００２０】
本開示の一態様では、BCC及びセグメントを含む拡張された帯域を１つの仮想キャリア(Virtual carrier)とみなし、仮想キャリアに対して、運用に必要なパラメータを決定する方法について説明する。この方法によれば、基地局は、セグメントを追加した後のBCCとセグメントを含む拡張された帯域に対するリソース割当を１つの下りリンク制御信号でスケジューリングすることができる。また、既存のリソース割当メカニズムからの変更を少なく抑えることができる。
【００２１】
（実施の形態１）
［通信システムの概要］
本開示の各実施の形態に係る通信システムは、基地局１００及び端末２００を備える。
【００２２】
図１は、本開示の各実施の形態に係る基地局１００の構成を示すブロック図である。図１に示す基地局１００において、制御部１０１は、第１の帯域と、第１の帯域に対する追加帯域であるセグメントとから構成される第２の帯域（Virtual carrier）に対するパラメータ（ここではRBGサイズ）を決定し、送信部１１３（送受信機に対応。信号割当部１１１も含む）は、パラメータを用いて、第２の帯域で端末２００と通信を行う。
【００２３】
図２は、本開示の各実施の形態に係る端末２００の構成を示すブロック図である。図２に示す端末２００において、制御部２０８は、第１の帯域と、第１の帯域に対する追加帯域であるセグメントとから構成される第２の帯域（Virtual carrier）に対するパラメータ（RBGサイズ）を決定し、受信部２０２（送受信機に対応。抽出部２０４も含む）は、パラメータを用いて、第２の帯域で基地局１００と通信を行う。
【００２４】
なお、以下では、「BCC」、又は、端末２００が下りリンク制御信号（例えば,DCI（Downlink Control Information））を受信するのに必要な帯域である「First RF帯域」を「第１の帯域」と定義する。
【００２５】
また、以下では、第１の帯域にセグメントを追加した後の、BCC及びセグメントを含む拡張された帯域を「Virtual carrier」又は「第２の帯域」と定義する。
【００２６】
［基地局の構成］
図３は、本開示の実施の形態１に係る基地局１００の構成を示すブロック図である。図３において、基地局１００は、制御部１０１と、データ生成部１０２と、符号化部１０３と、変調部１０４と、上位制御信号生成部１０５と、符号化部１０６と、変調部１０７と、下り制御信号生成部１０８と、符号化部１０９と、変調部１１０と、信号割当部１１１と、IFFT（Inverse Fast Fourier Transform）部１１２と、送信部１１３と、アンテナ１１４と、受信部１１５と、FFT（Fast Fourier Transform）部１１６と、抽出部１１７と、CSI（Channel State Information）復調部１１８と、SRS（Sounding Reference Signal）測定部１１９と、を有する。
【００２７】
制御部１０１は、Virtual carrier（第２の帯域）に対するRBG（Resource Block Group）サイズを決定する。このとき、制御部１０１は、決定したVirtual carrierに対するRBGサイズを示す情報を信号割当部１１１へ出力する。なお、制御部１０１は、決定したVirtual carrierに対するRBGサイズを示す情報を上位制御信号生成部１０５へ出力してもよい。
【００２８】
また、制御部１０１は、CSIフィードバック又はSRSに関する情報を決定し、決定した情報を上位制御信号生成部１０５及び抽出部１１７へ出力する（詳細は実施の形態９〜１２で後述する）。また、制御部１０１は、Virtual carrierに対するRBG（RBGサイズ又はRBGの区切り）を設定変更可能である場合、設定変更に関する情報を上位制御信号生成部１０５に出力する（詳細は実施の形態４、６で後述する）。
【００２９】
また、制御部１０１は、例えば、決定したRBGを用いて、端末２００に対する下りリンクデータに対する無線リソース割当を決定し、下りリンクデータのリソース割当を指示する下りリソース割当情報を下り制御信号生成部１０８及び信号割当部１１１へ出力する。
【００３０】
データ生成部１０２は、端末２００に対する下りリンクデータを生成し、符号化部１０３へ出力する。
【００３１】
符号化部１０３は、データ生成部１０２から入力される下りリンクデータに対して誤り訂正符号化を行い、符号化後のデータ信号を変調部１０４へ出力する。
【００３２】
変調部１０４は、符号化部１０３から入力されるデータ信号を変調して、データ変調信号を信号割当部１１１へ出力する。
【００３３】
上位制御信号生成部１０５は、制御部１０１から入力される情報を用いて、制御情報ビット列を生成し、生成した制御情報ビット列を符号化部１０６へ出力する。また、上位制御信号生成部１０５は、第１の帯域（BCC又はFirst RF帯域）に関する情報（例えば帯域幅）及びセグメント(追加帯域)に関する情報（例えば，帯域幅）を用いて、制御情報ビット列を生成し、生成した制御情報ビット列を符号化部１０６へ出力する。
【００３４】
符号化部１０６は、上位制御信号生成部１０５から入力される制御情報ビット列に対して誤り訂正符号化を行い、符号化後の制御信号を変調部１０７へ出力する。
【００３５】
変調部１０７は、符号化部１０６から入力される制御信号を変調して、変調後の制御信号を信号割当部１１１へ出力する。
【００３６】
下り制御信号生成部１０８は、制御部１０１から入力されるVirtual carrierに帯するRBGサイズを示す情報、及び、下りリソース割当情報を用いて、制御情報ビット列を生成し、生成した制御情報ビット列を符号化部１０９へ出力する。なお、制御情報が複数の端末向けに送信されることもあるため、下り制御信号生成部１０８は、各端末向けの制御情報に、各端末の端末IDを含めてビット列を生成してもよい。
【００３７】
符号化部１０９は、下り制御信号生成部１０８から入力される制御情報ビット列に対して誤り訂正符号化を行い、符号化後の制御信号を変調部１１０へ出力する。
【００３８】
変調部１１０は、符号化部１０９から入力される制御信号を変調して、変調後の制御信号を信号割当部１１１へ出力する。
【００３９】
信号割当部１１１は、制御部１０１から入力されるRBGに関する情報又は下りリソース割当情報に基づいて、変調部１０４から入力されるデータ信号を無線リソースにマッピングする。また、信号割当部１１１は、変調部１０７又は変調部１１０から入力される制御信号を無線リソースにマッピングする。信号割当部１１１は、信号がマッピングされた下りリンクの信号をIFFT部１１２へ出力する。
【００４０】
IFFT部１１２は、信号割当部１１１から入力される信号に対して、OFDM(Orthogonal Frequency Division Multiplexing)等の送信波形生成処理を施す。IFFT部１１２は、CP（Cyclic Prefix）を付加するOFDM伝送の場合には、CPを付加する（図示せず）。IFFT部１１２は、生成した送信波形を送信部１１３へ出力する。
【００４１】
送信部１１３は、IFFT部１１２から入力される信号に対してD/A（Digital-to-Analog）変換、アップコンバート等のRF（Radio Frequency）処理を行い、アンテナ１１４を介して端末２００に無線信号を送信する。
【００４２】
受信部１１５は、アンテナ１１４を介して受信された端末２００からのCSIフィードバック信号の信号波形又はSRSに対して、ダウンコンバート又はA/D（Analog-to-Digital）変換などのRF処理を行い、得られる受信信号をFFT部１１６に出力する。
【００４３】
FFT部１１６は、受信部１１５から入力される受信信号に対して、時間領域信号を周波数領域信号に変換するFFT処理を施す。FFT部１１６は、FFT処理により得られた周波数領域信号を抽出部１１７へ出力する。
【００４４】
抽出部１１７は、制御部１０１から受け取る情報（CSIフィードバックに関する情報又はSRSに関する情報）に基づいて、FFT部１１６から入力される信号から、CSIフィードバック信号又はSRSが送信された無線リソースを抽出し、抽出した無線リソースの成分（CSIフィードバック信号又はSRS信号）をCSI復調部１１８及びSRS測定部１１９へそれぞれ出力する。
【００４５】
CSI復調部１１８は、抽出部１１７から入力されるCSIフィードバック信号を復調し、復調した情報を制御部１０１へ出力する。CSIフィードバックは、例えば、制御部１０１において、下りリンク割当の制御に使用される。
【００４６】
SRS測定部１１９は、抽出部１１７から入力されるSRS信号を用いて、上りリンクのチャネル品質を測定し、測定した情報を制御部１０１へ出力する。測定した情報は、例えば、制御部１０１において、上りリンク割当の制御に使用される（図示せず）。
【００４７】
［端末の構成］
図４は、本開示の実施の形態１に係る端末２００の構成を示すブロック図である。図４において、端末２００は、アンテナ２０１と、受信部２０２と、FFT部２０３と、抽出部２０４と、下り制御信号復調部２０５と、上位制御信号復調部２０６と、下りデータ信号復調部２０７と、制御部２０８と、CSI生成部２０９と、符号化部２１０と、変調部２１１と、SRS生成部２１２と、信号割当部２１３と、IFFT部２１４と、送信部２１５と、を有する。
【００４８】
受信部２０２は、アンテナ２０１を介して受信された基地局１００からの下りリンク信号（データ信号及び制御信号）の信号波形に対して、ダウンコンバート又はA/D（Analog-to-Digital）変換などのRF処理を行い、得られる受信信号（ベースバンド信号）をFFT部２０３に出力する。
【００４９】
FFT部２０３は、受信部２０２から入力される信号（時間領域信号）に対して、時間領域信号を周波数領域信号に変換するFFT処理を施す。FFT部２０３は、FFT処理により得られた周波数領域信号を抽出部２０４へ出力する。
【００５０】
抽出部２０４は、制御部２０８から入力される制御情報に基づいて、FFT部２０３から入力される信号から、下り制御信号を抽出し、下り制御信号復調部２０５へ出力する。また、抽出部２０４は、制御部２０８から入力される制御情報に基づいて、上位制御信号及び下りデータ信号を抽出し、上位制御信号を上位制御信号復調部２０６へ出力し、下りデータ信号を下りデータ信号復調部２０７へ出力する。
【００５１】
下り制御信号復調部２０５は、抽出部２０４から入力される下り制御信号をブラインド復号して、自機宛ての制御信号であると判断した場合、当該制御信号を復調して制御部２０８へ出力する。
【００５２】
上位制御信号復調部２０６は、抽出部２０４から入力される上位制御信号を復調し、復調後の上位制御信号を制御部２０８へ出力する。
【００５３】
下りデータ信号復調部２０７は、抽出部２０４から入力される下りデータ信号を復調し、復調信号を得る。
【００５４】
制御部２０８は、下り制御信号復調部２０５から入力される制御信号に示される下りリソース割当情報に基づいて、下りデータ信号に対する無線リソース割当を算出し、算出した無線リソース割当を示す情報を抽出部２０４へ出力する。
【００５５】
また、制御部２０８は、下り制御信号復調部２０５から入力される下り制御信号又は上位制御信号復調部２０６から入力される上位制御信号に基づいて、後述する方法により、Virtual carrier(第２の帯域)に対するRBG（RBGサイズ又はRBGの区切り）を設定する。そして、制御部２０８は、設定したRBGに関する情報を抽出部２０４へ出力する。
【００５６】
また、制御部２０８は、下り制御信号復調部２０５から入力される下り制御信号又は上位制御信号復調部２０６から入力される上位制御信号に基づいて、CSIフィードバック又はSRSの無線リソースを設定し、設定したCSIフィードバック又はSRSに関する情報を信号割当部２１３へ出力する（詳細は実施の形態９〜１２で後述する）。
【００５７】
CSI生成部２０９は、端末２００において測定した下りリンクチャネル品質の測定結果を用いて、CSIフィードバックビット列を生成し、CSIフィードバックビット列を符号化部２１０へ出力する。
【００５８】
符号化部２１０は、CSI生成部２０９から入力されるCSIフィードバックビット列に対して誤り訂正符号化を行い、符号化後のCSI信号を変調部２１１へ出力する。
【００５９】
変調部２１１は、符号化部２１０から入力されるCSI信号を変調して、変調後のCSI信号を信号割当部２１３へ出力する。
【００６０】
SRS生成部２１２は、SRS系列を生成し、信号割当部２１３へ出力する。
【００６１】
信号割当部２１３は、変調部２１１から入力されるCSI信号、及び、SRS生成部２１２から入力されるSRS系列を、制御部２０８から指示される無線リソースにそれぞれマッピングする。信号割当部２１３は、信号がマッピングされた上りリンク信号をIFFT部２１４へ出力する。
【００６２】
IFFT部２１４は、信号割当部２１３から入力される信号に対して、OFDM等の送信波形生成処理を施す。IFFT部２１４は、CP（Cyclic Prefix）を付加するOFDM伝送の場合には、CPを付加する（図示せず）。または、IFFT部２１４がシングルキャリア波形を生成する場合には、信号割当部２１３の前段にDFT（Discrete Fourier Transform）部が追加されてもよい（図示せず）。IFFT部２１４は、生成した送信波形を送信部２１５へ出力する。
【００６３】
送信部２１５は、IFFT部２１４から入力される信号に対してD/A（Digital-to-Analog）変換、アップコンバート等のRF（Radio Frequency）処理を行い、アンテナ201を介して基地局１００に無線信号を送信する。
【００６４】
［基地局１００及び端末２００の動作］
以上の構成を有する基地局１００及び端末２００における動作について詳細に説明する。
【００６５】
本実施の形態では、基地局１００及び端末２００は、上述したLTE-Advancedにおける様々な帯域幅を柔軟にサポートする無線通信システム、又は、NRにおける端末２００のRF帯域幅の柔軟な変更を可能する無線通信システムにおいて、第１の帯域にセグメントを追加した後の、第１の帯域及びセグメントを含む拡張された帯域である１つの「Virtual carrier」（第２の帯域）に対して、基地局１００と端末２００との間の通信に必要となるパラメータを決定する。
【００６６】
LTE-Advanced又はNRでは、信号波形にOFDMまたはシングルキャリア周波数分割多重(SC-FDMA: Single-Carrier Frequency Division Multiple Access)が採用されている。これらの信号波形は、端末毎に異なるサブキャリアを用いることで、基地局と複数の端末との間の多元接続を実現する。
【００６７】
リソースブロック(RB: Resource Block)は、無線リソース割当の最小単位であり、LTE-Advanced又はNRでは、サブキャリア間隔に依らず、12サブキャリアで構成される。ただし、RBは、12サブキャリアに限らず、その他のサブキャリア数から構成されてもよい。
【００６８】
LTE-Advancedでは、下りリンクデータチャネル(PDSCH: Physical Downlink Shared Channel)に対するRBの端末への割当方法として、リソースブロックグループ(RBG: Resource Block Group)と呼ばれる無線リソース群の単位を用いる方法がある。RBGは、図５に示すように連続した複数のRBから構成される(図５の例では２個のRB)。LTE-Advancedでは、RBGに含まれるリソーブロック数(RBGサイズ)Pは、システム帯域幅に応じて設定される（例えば、非特許文献５を参照）。例えば、基地局は、端末に対するPDSCHのリソース割当を、RBG単位のビットマップを下り制御信号（DCI）で通知してもよい。この場合、RBG数が多いほど、下り制御信号のビット数が多くなる。
【００６９】
本実施の形態では、基地局１００及び端末２００は、Virtual carrierに対するパラメータとして、PDSCHのリソース割当に適用されるパラメータであるRBGのサイズを決定する。具体的には、基地局１００及び端末２００は、Virtual carrierの帯域幅（つまり、第１帯域及びセグメントの帯域幅の合計）に基づいて、Virtual carrierに対するRBGサイズを決定する。
【００７０】
図６は、本実施の形態に係るRBGサイズ決定処理の流れを示すフローを示す。
【００７１】
基地局１００は、第１の帯域において、同期信号(PSS(Primary Synchronization Signal)/SSS(Secondary Synchronization Signal))又はシステム情報(MIB(Master Information Block)/SIB(System Information Block))を端末２００へ通知する（ＳＴ１０１）。
【００７２】
端末２００は、第１の帯域を用いて、システム情報の取得し、基地局100との間でランダムアクセス手順又はRRC接続制御などを実行する（ＳＴ１０２）。
【００７３】
例えば、基地局１００は、上記システム情報（例えば、MIB）を用いて、第１の帯域に関する情報（例えば、帯域幅）を端末２００へ通知してもよい。また、基地局１００は、上記システム情報（例えば、SIB）又は端末固有のRRC（Radio Resource Control）信号を用いて、セグメント（追加帯域）に関する情報（例えば、帯域幅）を端末２００へ通知してもよい。なお、セグメントの数は複数あってもよい。
【００７４】
なお、第１の帯域に関する情報、及び、セグメントに関する情報は、上記以外の方法により基地局１００から端末２００へ通知されてもよい。例えば、基地局１００は、MIBを用いてセグメントに関する情報を端末２００へ通知してもよい。このとき、MIBは第１の帯域を用いて端末２００へ通知されてもよく、セグメントを用いて端末２００へ通知されてもよい。また、基地局１００は、Virtual carrierに関する情報（例えば、第１の帯域及びセグメントの合計の帯域幅）を端末２００へ通知してもよい。また、基地局１００は、第１の帯域とセグメントとが周波数軸上で連続している場合、Virtual carrierに関する情報（例えば合計の帯域幅）を端末２００へ通知し、第１の帯域とセグメントとが周波数軸上で非連続の場合、システム情報(例えば、SIB)又は端末固有のRRC信号を用いて、セグメントに関する情報(例えば、帯域幅)を端末２００へ通知してもよい。
【００７５】
基地局１００は、端末２００に対してセグメントの設定(セグメントの使用開始，終了)を通知するために、MACシグナリング、RRC信号又は下りリンク制御信号(DCI: Downlink Control Information)を用いてもよい。
【００７６】
次に、基地局１００は、第１の帯域に関する情報(帯域幅)及びセグメント（追加帯域）に関する情報(帯域幅)に基づいて、第１の帯域とセグメントとを含む拡張された帯域であるVirtual carrierの帯域幅を算出する。そして、基地局１００は、算出したVirtual carrierの帯域幅に基づいて、Virtual carrierに対するRBGサイズを決定する（ＳＴ１０３）。なお、Virtual carrierのRBGサイズの決定方法の詳細については後述する。
【００７７】
また、端末２００は、基地局１００（ＳＴ１０１）と同様に、ＳＴ１０１において基地局１００から通知された第１の帯域に関する情報(帯域幅)及びセグメントに関する情報(帯域幅)を用いて、Virtual carrierの帯域幅（つまり、第１の帯域及びセグメントの帯域幅の合計）を算出する。そして、端末２００は、算出したVirtual carrierの帯域幅に基づいて、Virtual carrierに対するRBGサイズを決定する（ＳＴ１０４）。
【００７８】
そして、基地局１００は、端末２００に対して、決定したRBGサイズを用いて、Virtual carrierにおける下りリンクデータ（PDSCH）のリソースを割り当て、下りリソース割り当て情報、及び、当該下りリンクデータを送信する（ＳＴ１０５）。端末２００は、決定したRBGサイズに基づいて、割り当てられた下りリソースを特定し、下りリンクデータを受信する。
【００７９】
図７及び図８は、本実施の形態に係るRBGサイズの決定方法の一例を示す。
【００８０】
なお、以下では、一例として、LTEと同様のシステム帯域幅とRBGサイズとの関係を用いる。具体的には、システム帯域幅が10RB以下の場合、RBGサイズP=1であり、システム帯域幅が11RB〜26RBの場合、RBGサイズP=2であり、システム帯域幅が27RB〜63RBの場合、RBGサイズP=3であり、システム帯域幅が64RB〜110RBの場合、RBGサイズP=4である（例えば、非特許文献５を参照）。ただし、システム帯域幅とRBGサイズとの関係は、LTEと同様の関係である場合に限定されない。また、LTEでは、20MHz(110RB)までしかRBGサイズが考慮されていないが、NRでは20MHzより広帯域幅(例えば80MHz)の適用も考慮されるので、システム帯域幅が20MHzよりも広帯域の場合は、P=4より大きいRBGサイズを用いてもよい。
【００８１】
基地局１００及び端末２００は、端末２００に割り当てられる第１の帯域及びセグメントの各々の帯域幅ではなく、第１の帯域及びセグメントを含むVirtual carrier（第２の帯域）の帯域幅に基づいて、Virtual carrierのRBGサイズを決定する。
【００８２】
図７は、第１の帯域が5MHz(25RB)であり、セグメントが3MHz(15RB)である場合の例を示す。図７に示す第１の帯域又はセグメントにおいて個別にデータの送受信を行う場合、第１の帯域及びセグメントのRBGサイズはそれぞれ、25RB及び15RBに対応するP=2である。一方、図７に示すVirtual carrierの帯域幅は、8MHz(40RB)であるため、Virtual carrierを用いてデータの送受信を行う場合、RBGサイズは40RBに対応するP=3である。
【００８３】
図８は、第１の帯域が5MHz(25RB)であり、セグメントが1.4MHz(6RB)である場合の例を示す。図８に示す第１の帯域又はセグメントにおいて個別データの送受信を行う場合、第１の帯域のRBGサイズは25RBに対応するP=2であり、セグメントのRBGサイズは6RBに対応するP=1である。一方、図８に示すVirtual carrierの帯域幅は、6.4MHz(31RB)であるため、Virtual carrierを用いてデータの送受信を行う場合、RBGサイズは31RBに対応するP=3である。
【００８４】
すなわち、図７及び図８では、第１の帯域及びセグメントの個別の帯域幅に基づいてRBGサイズを決定する場合と比較して、第１の帯域及びセグメントを含むVirtual carrierに基づいてRBGサイズを決定する場合の方が、RBGサイズは大きくなる。このため、図７又は図８に示す第１の帯域及びセグメントの全ての帯域幅（8MHz又は6.4MHz）において、Virtual carrier単位でRBGサイズを決定することにより、Virtual carrierに設定されるRBGの総数を低減することができる。
【００８５】
このように、本実施の形態によれば、基地局１００及び端末２００は、第１の帯域及びセグメントを含むVirtual carrierを１単位として、Virtual carrierに対するRBGサイズを決定する。これにより、Virtual carrierにおけるRBG数を低減できるので、第１の帯域及びセグメントを個別に用いた場合のRBGサイズを適用する場合と比較して、下り制御信号（DCI）におけるリソース割当に必要なビット数を削減でき、リソース割当のオーバヘッドを削減することができる。
【００８６】
すなわち、本実施の形態によれば、例えば、LTE-Advancedにおける様々な帯域幅を柔軟にサポートする無線通信システム、又は、NRにおける端末のRF帯域幅の柔軟な変更を可能する無線通信システムにおいて、セグメントを追加する方法を適用した場合でも、柔軟な帯域幅(例えば、Virtual carrier)での運用に必要なパラメータ（ここではRBGサイズ）を適切に決定することができる。
【００８７】
（実施の形態１の変形例１）
変形例１では、基地局１００及び端末２００は、第１の帯域の帯域幅の次に大きい標準帯域幅を算出し、Virtual carrier(第２の帯域)に対するRBGサイズを決定する。
【００８８】
ここで、標準帯域幅とは、LTE-Advancedでは、1.4MHz, 3MHz, 5MHz, 10MHz, 15MHz及び20MHzである。なお、標準帯域幅は、上記の値に限定されず、その他の標準帯域幅が規定されてもよい。
【００８９】
例えば、図９では、第１の帯域の帯域幅（10MHz：50RB）の次に大きい標準帯域幅は、15MHz（75RB）である。よって、基地局１００及び端末２００は、10MHzの第１の帯域とセグメントとを含むVirtual carrierに対するRBGサイズを、15MHzに対応するP=4に決定する。
【００９０】
これにより、例えば、第１の帯域に関する情報(帯域幅)及びセグメントに関する情報(帯域幅)が別々に端末２００へ通知された場合でも、端末２００は、第１の帯域の帯域幅から、Virtual carrierのRBGサイズを決定することができる。すなわち、変形例１によれば、RBGサイズの決定方法を簡易化することができる。
【００９１】
（実施の形態１の変形例２）
変形例２では、基地局１００及び端末２００は、Virtual carrier(第２の帯域)の帯域幅より大きい標準帯域幅の中で最小の帯域幅を有する標準帯域幅を算出し、Virtual carrierに対するRBGサイズを決定する。
【００９２】
例えば、図９に示すVirtual carrierの帯域幅（11.4MHz（56RB））より大きい標準帯域幅の中で最小の帯域幅を有する標準帯域幅は15MHz（75RB）である。よって、基地局１００及び端末２００は、Virtual carrierに対するRBGサイズを、15MHzに対応するP=4に決定する。
【００９３】
これにより、基地局１００及び端末２００は、Virtual carrierに対するRBGサイズを、Virtual carrierの帯域幅に近似する標準帯域幅と同様に決定することで、RBGサイズの決定方法を簡易化することができる。
【００９４】
また、実施の形態１の変形例１，２によれば、リソース割当の帯域幅を、RBGを決定する際に用いた標準帯域幅と同様に設定することで、DCIにおけるリソース割当領域を標準帯域幅と同一にできるため、端末２００でのDCIの復号を簡易化することができる。
【００９５】
（実施の形態２）
実施の形態１では、Virtual carrier（第２の帯域）の帯域幅に基づいてVirtual carrierのRBGサイズを決定する場合について説明したのに対して、本実施の形態では、第１の帯域（例えば、BCC）のRBGサイズに基づいてVirtual carrierのRBGサイズを決定する場合について説明する。
【００９６】
ここで、第１の帯域を用いてデータの送受信を行う端末と、Virtual carrierを用いてデータの送受信を行う端末とが同一リソース内に混在する場合、リソースを効率良く使用できない可能性がある。
【００９７】
図１０は、第１の帯域が5MHz(25RB)であり、セグメントが3MHz(15RB)である場合の例を示す。なお、図１０では、実施の形態１と同様、システム帯域幅に応じてRBGサイズが決定されるものとする。
【００９８】
図１０において、第１の帯域又はセグメントを用いて個別データの送受信を行う場合、第１の帯域及びセグメントのRBGサイズはそれぞれP=2である。一方、Virtual carrierの帯域幅は、8MHz(40RB)であるため、Virtual carrierを用いてデータの送受信を行う場合、Virtual carrierのRBGサイズはP=3である。
【００９９】
このとき、図１０に示すように、第１の帯域を用いてデータの送受信を行う端末（「端末＃１」と呼ぶ）とVirtual carrierを用いてデータの送受信を行う端末（「端末＃２」と呼ぶ）とが混在する場合に、端末＃１にRBG#2（RB#3、RB#4）が割り当てられると、端末＃２に対しては、RB#3、#4が含まれる、RBG#1（RB#1〜#3）及びRBG#2（RB#4〜#6）を割り当てることができなくなる。つまり、図１０では、端末＃１に割り当てられた１つのRBGが、端末＃２に対する２つのRBGに相当するリソースに跨って設定されるため、端末＃２に対するリソース割当の効率が悪くなってしまう。
【０１００】
そこで、本実施の形態では、第１の帯域のRBGサイズを考慮して、Virtual carrierに対するRBGサイズを決定する。
【０１０１】
本実施の形態に係る基地局及び端末は、実施の形態１に係る基地局１００及び端末２００と基本構成が共通するので、図３及び図４を援用して説明する。
【０１０２】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態1と同様のため、ここではその説明を省略する。
【０１０３】
本実施の形態に係る基地局１００は、第１の帯域に関する情報(帯域幅)及びセグメント(追加帯域)に関する情報(帯域幅)に基づいて、Virtual carrierの帯域幅（つまり、第１の帯域及びセグメントの帯域幅の合計）を算出する。また、端末２００は、基地局１００から通知された第１の帯域に関する情報(帯域幅)及びセグメントに関する情報(帯域幅)に基づいて、Virtual carrier(第2の帯域)の帯域幅を算出する。
【０１０４】
また、本実施の形態では、基地局１００及び端末２００は、第１の帯域の帯域幅に基づいて設定されるRBGサイズのX倍（ただし、Xは２以上の整数）を、Virtual carrierに設定されるRBGサイズに決定する。なお、Xに関する情報は、基地局１００から端末２００へ通知されてもよく、規格上決まった値でもよい。
【０１０５】
図１１は、本実施の形態に係るRBGサイズの決定方法の一例を示す。
【０１０６】
図１１は、第１の帯域が5MHz(25RB)であり、セグメントが3MHz(15RB)であり、Virtual carrierの帯域幅が8MHz(40RB)である場合の例を示す。図１１に示す第１の帯域又はセグメントにおいて個別データの送受信を行う場合、第１の帯域及びセグメントのRBGサイズはそれぞれ、25RB及び15RBに対応するP=2である。
【０１０７】
図１１では、X=2とする。よって、図１１に示すVirtual carrierを用いてデータの送受信を行う場合のRBGサイズは、第１の帯域の帯域幅に基づいて設定されるRBGサイズP=2のX倍のP=4となる。こうすることで、Virtual carrierに対して設定されるRBGの境界（区切り）は、第１の帯域の帯域に幅に基づいて設定されるRBGの境界と一致する。これにより、基地局１００は、Virtual carrierを用いてデータの送受信を行う端末２００に対して効率良くリソース割当を行うことができる。
【０１０８】
例えば、図１１において、第１の帯域を用いてデータの送受信を行う端末と、Virtual carrierを用いてデータの送受信を行う端末とが同一リソース内に混在する場合に、第１の帯域を用いてデータの送受信を行う端末にRBG#2（RB#3、RB#4）が割り当てられるとする。この場合、基地局１００は、Virtual carrierを用いてデータの送受信を行う端末に対しては、RB#3、#4を含むRBG#1（RB#1〜#4）を割り当てることができない。つまり、第１の帯域を用いてデータの送受信を行う端末に割り当てられた１つのRBGによって、Virtual carrierを用いてデータの送受信を行う端末に対して割り当てられないRBGは、図１０に示す例では２つであったのに対して、本実施の形態（図１１）では１つで済む。
【０１０９】
このようにして、本実施の形態では、Virtual carrierに対するRBGサイズを、第１の帯域の帯域幅に基づいて設定されるRBGサイズの整数倍に設定することで、第１の帯域を用いてデータの送受信を行う端末に割り当てられるRBGが、Virtual carrierを用いてデータの送受信を行う端末に対する複数のRBGに相当するリソースに跨って設定されることを防ぐことができる。これにより、第１の帯域を用いてデータの送受信を行う端末と、Virtual carrierを用いてデータの送受信を行う端末とを効率良く多重することができる。
【０１１０】
また、本実施の形態によれば、Virtual carrierに対して、第１の帯域のRBGサイズよりも大きいRBGサイズを設定できる。これにより、実施の形態１と同様、Virtual carrierを用いる場合に、第１の帯域のRBGサイズをそのまま適用する場合と比較して、Virtual carrierにおけるRBG数を低減できるので、下り制御信号（DCI）におけるリソース割当に必要なビット数を削減でき、リソース割当のオーバヘッドを削減することができる。
【０１１１】
（実施の形態３）
NRでは、要求条件の異なるサービスの端末を収容可能にする方法として、サブキャリア間隔等が異なる信号波形を同一帯域内に混在させるMixed numerologyが検討されている。また、NRでは、RBがサブキャリア間隔に依らず12サブキャリアで構成されることが検討されている。また、3GPPでは、異なるサブキャリア間隔を有するNumerologyをFDMする場合、各サブキャリア間隔のRBグリッドを、図１２に示すようにNested structureとすることが合意されている。なお、図１２に示すRB番号の割り振りは一例であり、この限りではない。
【０１１２】
また、図１３は、15kHz、30kHz及び60kHzのサブキャリア間隔の端末を多重する際のRBグリッドの一例を示す。図１３に示すように、異なるサブキャリア間隔の端末が混在する場合、RBGサイズを2のべき乗とすると、RBGの境界（区切り）とRBグリッドの境界とを、異なるサブキャリア間隔のNumerology間で揃えることができるため、リソースを効率良く使用できる。
【０１１３】
そこで、本実施の形態では、Virtual carrierに対するRBGサイズについても2のべき乗に設定する。
【０１１４】
本実施の形態に係る基地局及び端末は、実施の形態１に係る基地局１００及び端末２００と基本構成が共通するので、図３及び図４を援用して説明する。
【０１１５】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態1と同様のため、ここではその説明を省略する。
【０１１６】
本実施の形態に係る基地局１００は、第１の帯域に関する情報(帯域幅)及びセグメント(追加帯域)に関する情報(帯域幅)に基づいて、Virtual carrier(つまり、第１の帯域及びセグメントの帯域幅の合計)の帯域幅を算出する。また、端末２００は、基地局１００から通知された第１の帯域に関する情報(帯域幅)及びセグメントに関する情報(帯域幅)に基づいて、Virtual carrier(第2の帯域)の帯域幅を算出する。
【０１１７】
また、本実施の形態では、基地局１００及び端末２００は、２のべき乗を、Virtual carrierに設定されるRBGサイズに決定する。なお、RBGサイズに関する情報（例えば、２のべき乗：2nのｎの値）は、基地局１００から端末２００へ通知されてもよく、規格上決まった値でもよい。また、実施の形態１と同様、RBGサイズ（例えば、２のべき乗：2nのｎの値）は、Virtual carrierの帯域幅から算出されてもよい。
【０１１８】
図１４は、本実施の形態に係るRBGサイズの決定方法の一例を示す。
【０１１９】
図１４は、15kHzサブキャリア間隔の第１の帯域のRBGサイズP=2であり、30kHzサブキャリア間隔のVirtual carrierのRBGサイズP=2の場合の例を示す。つまり、図１４では、Virtual carrierのRBGサイズは２の１乗である。こうすることで、Virtual carrierに対して設定されるRBGの境界（区切り）は、第１の帯域の帯域に幅に基づいて設定されるRBGの境界と一致する。これにより、基地局１００は、Virtual carrierを用いてデータの送受信を行う端末２００に対して効率良くリソース割当を行うことができる。
【０１２０】
例えば、図１４において、第１の帯域を用いてデータの送受信を行う端末と、Virtual carrierを用いてデータの送受信を行う端末とが同一リソース内に混在する場合に、第１の帯域を用いてデータの送受信を行う端末にRBG#2（RB#3、RB#4）が割り当てられるとする。この場合、基地局１００は、Virtual carrierを用いてデータの送受信を行う端末に対しては、15kHzサブキャリア間隔におけるRB#3、#4と同一リソースを含むRBG#1（RB#1，#2）を割り当てることができない。つまり、図１４に示すように、Virtual carrierを用いて送受信を行う端末に対して割り当てられないRBGは１つで済む。
【０１２１】
このようにして、本実施の形態では、Virtual carrierに対するRBGサイズを２のべき乗に設定することで、異なるサブキャリア間隔の端末が混在する場合でも、RBGの境界を端末間で揃えることができるので、異なるサブキャリア間隔の複数の端末を効率良く多重することができる。
【０１２２】
すなわち、本実施の形態によれば、例えば、LTE-Advancedにおける様々な帯域幅を柔軟にサポートする無線通信システム、又は、NRにおける端末のRF帯域幅の柔軟な変更を可能する無線通信システムにおいて、異なるサブキャリア間隔の端末が混在する場合でも、柔軟な帯域幅(例えば、Virtual carrier)での運用に必要なパラメータ（ここではRBGサイズ）を適切に決定することができる。
【０１２３】
（実施の形態４）
本実施の形態に係る基地局及び端末は、実施の形態１に係る基地局１００及び端末２００と基本構成が共通するので、図３及び図４を援用して説明する。
【０１２４】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。
【０１２５】
本実施の形態では、Virtual carrier（第２の帯域）に対するRBGサイズを基地局１００から端末２００へのシグナリングによって適応的に設定変更する場合について説明する。
【０１２６】
基地局１００の制御部１０１は、例えば、端末２００の通信状況に応じて、Virtual carrierに対するRBGサイズを可変に設定する。例えば、基地局１００は、第１の帯域を用いてデータの送受信を行う端末と、Virtual carrierを用いてデータの送受信を行う端末とを多重する必要がある場合には、Virtual carrierのRBGサイズを、第１の帯域と同一又は第１の帯域の整数倍、又は、２のべき乗に決定する（例えば、実施の形態２、３を参照）。一方、基地局１００は、第１の帯域を用いてデータの送受信を行う端末の多重が必要ない場合には、Virtual carrierのRBGサイズを、第１の帯域の整数倍（又は同一）の値以外の値に決定してもよい。
【０１２７】
そして、基地局１００は、Virtual carrierに対するRBGサイズに関する情報（設定変更に関する情報）を、上位制御信号（例えば、システム情報（MIB又はSIB）又はRRC信号）を用いて端末２００へ通知する。
【０１２８】
端末２００は、基地局１００から通知される上位制御信号を受信し、受信した上位制御信号に基づいて、Virtual carrierに対するRBGサイズを特定する。
【０１２９】
図１５は、本実施の形態に係るRBGサイズの決定方法の一例を示す。図１５は、Virtual carrierのRBGサイズをP=3及びP=4の何れかに設定可能な例を示す。
【０１３０】
例えば、図１５において、RBGサイズP=2の第１の帯域を用いて送受信を行う端末（例えば、図１０を参照）と、Virtual carrierを用いて送受信を行う端末と、が混在する場合、基地局１００は、Virtual carrierを用いて送受信を行う端末に対して、図１５下図のようにRBGサイズP=2の２倍となるP=4（又は２の２乗）のRBGサイズを通知してもよい。これにより、基地局１００は、実施の形態２、３と同様、第１の帯域を用いてデータの送受信を行う端末とVirtual carrierを用いてデータの送受信を行う端末とを効率良く多重することができる。
【０１３１】
一方、Virtual carrierを用いて送受信を行う端末と多重される第１の帯域を用いて送受信を行う端末が存在しない場合、基地局１００は、Virtual carrierを用いて送受信を行う端末に対して、RBGサイズP=3を通知してもよい。これにより、例えば、実施の形態１（図７を参照）と同様、Virtual carrierの帯域幅に応じたRBGサイズが決定され、リソース割当のオーバヘッドを削減しつつ、リソース割当を柔軟に行うことができる。
【０１３２】
このようにして、本実施の形態によれば、Virtual carrierに設定されるRBGサイズは可変であり、RBGサイズは基地局１００から端末２００へシグナリング(例えば、システム情報(MIB、SIB)又はRRC信号)により通知される。これにより、例えば、第１の帯域を用いてデータの送受信を行う端末とVirtual carrierを用いて送受信を行う端末との多重が必要か否かに応じて、端末２００に対するVirtual carrierのRBGサイズを適応的に変更することができる。
【０１３３】
なお、端末２００は、システム情報(例えばMIB又はSIB)によってRBGサイズが通知された場合でも、RRC信号によってRBGサイズを再設定してもよい。
【０１３４】
または、端末２００は、RRC信号によってRBGサイズが通知される場合、当該RRC信号を受信するまではDefaultのRBGサイズを用いてもよい。DefaultのRBGサイズは、システム情報によって通知されてもよく、実施の形態１〜３と同様の方法で決定されてもよい。
【０１３５】
（実施の形態５）
本実施の形態では、下りリンクデータチャネル(PDSCH)のリソース割当に適用されるパラメータであるRBGを構成するRBを決定する方法について説明する。
【０１３６】
本実施の形態に係る基地局及び端末は、実施の形態１に係る基地局１００及び端末２００と基本構成が共通するので、図３及び図４を援用して説明する。
【０１３７】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態1と同様のため、ここではその説明を省略する。また、RBGサイズの決定方法は、実施の形態１〜４の何れかの方法を用いてもよい。
【０１３８】
また、上記実施の形態１〜４で説明したように第１の帯域及びセグメントを含む帯域を１つのVirtual carrier(第２の帯域)とみなしてRBGサイズを決定する際、図１６に示すように、第１の帯域のRB及びセグメントのRBの双方を含むRBG（図１６ではRBG#9）が構成される可能性がある。このとき、図１６に示すように、第１の帯域とセグメントとが周波数軸上で非連続の場合（周波数軸上でギャップが存在する場合）、チャネル状態の異なる複数のRBを１つのRBG（RBG#9）として扱うことになる。このため、当該RBGに対するスケジューリング、プリコーディング設定、チャネル推定精度などに悪影響を及ぼすことが予想される。
【０１３９】
そこで、本実施の形態では、１つのRBGを構成するRBが、第１の帯域のRB、又は、セグメントのRBの何れか一方で構成される場合について説明する。つまり、本実施の形態では、基地局１００及び端末２００は、Virtual carrierに設定されるRBGの境界（区切り）と、Virtual carrierに含まれる第１の帯域とセグメントとの境界と、が一致するように、RBGを設定する。
【０１４０】
図１７は、本実施の形態に係るRBGの決定方法の一例を示す。図１７では、RBGサイズP=3とする。
【０１４１】
図１７では、第１の帯域とセグメントとは周波数軸上で非連続である。また、図１７では、RBG#1〜#9は、第１の帯域のRB（RB#1〜RB#25）から構成され、RBG#10〜#14は、セグメントのRB（RB#1〜RB#15）から構成される。
【０１４２】
図１７に示すように、Virtual carrier内の第１の帯域とセグメントとの境界付近では、第１の帯域の１つのRB#25によってRBG#9が構成され、セグメントの３つのRB#1〜#3によってRBG#10が構成される。すなわち、図１７では、RBGの境界は、少なくとも、第１の帯域とセグメントとの境界に一致する。換言すると、図１７では、周波数軸上で非連続である第１の帯域及びセグメントの双方のリソースブロックから構成されるRBGは存在しない。これにより、図１７に示す各RBG内のRBは、周波数軸上で連続しているのでチャネル状態が同程度となる。
【０１４３】
よって、本実施の形態では、第１の帯域とセグメントとが周波数軸上で非連続である場合でも、Virtual carrierに設定されるRBGに対するスケジューリング、プリコーディング設定、チャネル推定精度等に対する、周波数軸上のギャップに起因する影響を抑圧することができる。
【０１４４】
（実施の形態６）
本実施の形態では、下りリンクデータチャネル(PDSCH)のリソース割当に適用されるパラメータであるRBGを構成するRBを決定する方法について説明する。
【０１４５】
実施の形態５で説明した周波数軸上のギャップの影響は、第１の帯域とセグメントとが周波数軸上で非連続である場合に生じる。
【０１４６】
一方、第１の帯域とセグメントとが周波数軸上で連続している場合には、実施の形態５のようにRBGの境界を第１の帯域とセグメントとの境界に合わせるよりも、第１の帯域とセグメントとの境界を意識せずにRBGを構成した方が、処理を簡易化でき、かつ、RBG数が削減される可能性がある。この結果、DCIにおけるリソース割当に必要なビット数を削減でき、リソース割当のオーバヘッドを削減することができる。
【０１４７】
そこで、本実施の形態では、RBGを構成するRBを適応的に設定変更する場合について説明する。
【０１４８】
本実施の形態に係る基地局及び端末は、実施の形態１に係る基地局１００及び端末２００と基本構成が共通するので、図３及び図４を援用して説明する。
【０１４９】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。また、RBGサイズの決定方法は、実施の形態１〜４の何れかの方法を用いてもよい。
【０１５０】
図１８は、本実施の形態に係るRBGの決定方法の一例を示す。図１８は、Virtual carrierのRBGサイズをP=3とする。
【０１５１】
基地局１００（制御部１０１）は、Virtual carrierを構成する第１の帯域とセグメントとが周波数軸上で連続である場合には、第１の帯域とセグメントとの境界を意識せずにRBGを設定する。例えば、図１８上図に示すように、第１の帯域のRB（RB#25）及びセグメントのRB（RB#1,#2）の双方のRBから構成されるRBG#9が存在する。なお、第１の帯域及びセグメントの帯域幅によっては、図１８上図のRBG#9のような第１の帯域及びセグメントの双方のRBを含むRBGが存在しない場合もある。
【０１５２】
一方、基地局１００（制御部１０１）は、Virtual carrierに含まれる第１の帯域とセグメントとが周波数軸上で非連続である場合には、実施の形態５と同様、RBGの境界と、第１の帯域とセグメントとの境界とが一致するようにRBGを設定する。例えば、図１８下図に示すように、各RBGは、第１の帯域のRB又はセグメントのRBの何れか一方のRBによって構成され、第１の帯域のRB及びセグメントのRBの双方から構成されるRBGは存在しない。
【０１５３】
そして、基地局１００は、Virtual carrierに対するRBGの境界に関する情報（設定変更に関する情報）を、上位制御信号（例えば、システム情報（MIB又はSIB）又はRRC信号）を用いて端末２００へ通知する。
【０１５４】
端末２００は、基地局１００から通知される上位制御信号を受信し、受信した上位制御信号に基づいて、Virtual carrierに対するRBG（RBGを構成するRB）の設定を特定する。
【０１５５】
なお、基地局１００から端末２００へのシグナリング(例えばシステム情報(MIB、SIB)又はRRC信号)により適応的にRBGを設定する場合について説明したが、基地局１００及び端末２００は、端末２００に対するVirtual carrierに含まれる第１の帯域及びセグメントの周波数軸上の関係に基づいて、Virtual carrierに設定されるRBG（RBGを構成するRB）を適応的に設定してもよい。
【０１５６】
また、上記では、第１の帯域とセグメントとが周波数軸上で連続であるか非連続であるかに応じてRBGを設定する場合について説明したが、RBGの設定方法はこれに限定されない。例えば、第１の帯域とセグメントとの周波数軸上のギャップが、スケジューリング、プリコーディング設定、チャネル推定精度などに影響を及ぼさない程度の大きさ（例えば、閾値以下）であれば、上述した第１の帯域とセグメントとが周波数軸上で連続である場合と同様にしてRBGが設定されてもよい。
【０１５７】
このようにして、本実施の形態によれば、Virtual carrierを構成する第１の帯域とセグメントとの周波数軸上での連続性に応じて、RBGの構成を設定変更する。これにより、第１の帯域とセグメントとの周波数軸上での連続性に応じて、RBGに対する周波数軸上のギャップに起因する影響を抑圧しつつ、リソース割当のオーバヘッドをより削減することができる。
【０１５８】
（実施の形態７）
実施の形態１〜６では、下りリンクデータチャネル(PDSCH)のリソース割当に適用されるパラメータであるRBG（RBGサイズ）の決定方法について説明した。これに対し、本実施の形態では、PDSCHのリソース割当に適用される他のパラメータであるプリコーディンググループ(PRG: Precoding Group)を構成するRBの決定方法について説明する。
【０１５９】
LTE-Advancedでは、PDSCHに対する端末へのプリコーディングの設定方法として、PRGと呼ばれる無線リソース群の単位を用いる方法がある。PRGは、RBGと同様、連続した複数のRBから構成される。LTE-Advancedでは、PRGに含まれるRB数は、システム帯域幅に応じて決定される（例えば、非特許文献５を参照）。
【０１６０】
そこで、本実施の形態では、実施の形態１〜４で説明したRBGサイズの決定方法と同様の方法を用いて、PRGサイズを決定する。すなわち、本実施の形態では、実施の形態１〜４で説明した「RBG」を「PRG」に置き換えてPRGサイズを決定することができる。
【０１６１】
本実施の形態に係る基地局及び端末は、実施の形態１に係る基地局１００及び端末２００と基本構成が共通するので、図３及び図４を援用して説明する。
【０１６２】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。
【０１６３】
すなわち、本実施の形態に係る基地局１００において、制御部１０１は、第１の帯域と、第１の帯域に対する追加帯域であるセグメントとから構成されるVirtual carrierに対するパラメータ（ここではPRGサイズ）を決定し、送信部１１３（送受信機に対応）は、パラメータを用いて、第２の帯域で端末２００と通信を行う。また、本実施の形態に係る端末２００において、制御部２０８は、第１の帯域と、第１の帯域に対する追加帯域であるセグメントとから構成されるVirtual carrierに対するパラメータ（PRGサイズ）を決定し、受信部２０２（送受信機に対応）は、パラメータを用いて、第２の帯域で基地局１００と通信を行う。
【０１６４】
これにより、本実施の形態によれば、例えば、LTE-Advancedにおける様々な帯域幅を柔軟にサポートする無線通信システム、又は、NRにおける端末のRF帯域幅の柔軟な変更を可能する無線通信システムにおいて、セグメントを追加する方法を適用した場合でも、柔軟な帯域幅(例えば、Virtual carrier)での運用に必要なパラメータ（ここではPRGサイズ）を適切に決定することができる。
【０１６５】
また、第１の帯域及びセグメントを含む帯域を１つのVirtual carrier(第２の帯域)とみなしてPRGを決定する際、第１の帯域のRB及びセグメントのRBの双方を含むPRGが構成される可能性がある。このとき、第１の帯域とセグメントとが周波数軸上で非連続の場合（周波数軸上でギャップが存在する場合）、チャネル状態の異なる複数のRBを１つのPRGとして扱うことになる。このため、当該PRGに対するプリコーディング設定、チャネル推定精度などに悪影響を及ぼすことが予想される。
【０１６６】
そこで、本実施の形態では、図１９に示すように、１つのPRGを構成するRBが、第１の帯域のRB、又はセグメントのRBの何れか一方で構成される。つまり、本実施の形態では、基地局１００及び端末２００は、Virtual carrierに設定されるPRGの境界（区切り）と、Virtual carrierに含まれる第１の帯域とセグメントとの境界と、が一致するように、PRGを設定する。
【０１６７】
例えば、図１９に示すように、Virtual carrier内の第１の帯域とセグメントとの境界付近では、第１の帯域の１つのRB#25によってPRG#9が構成され、セグメントの３つのRB#1〜#3によってPRG#10が構成される。すなわち、図１９では、PRGの境界は、少なくとも、第１の帯域とセグメントとの境界に一致する。換言すると、図１９では、周波数軸上で非連続である第１の帯域及びセグメントの双方のリソースブロックから構成されるPRGは存在しない。これにより、図１９に示す各PRG内のRBは、周波数軸上で連続しているのでチャネル状態が同程度となる。
【０１６８】
よって、本実施の形態では、第１の帯域とセグメントとが周波数軸上で非連続である場合でも、Virtual carrierに設定されるPRGに対するプリコーディングの設定、チャネル推定精度等に対する、周波数軸上のギャップに起因する影響を抑圧することができる。
【０１６９】
（実施の形態８）
本実施の形態では、下りリンクデータチャネル(PDSCH)のリソース割当に適用されるパラメータであるPRGを構成するRBを決定する方法について説明する。
【０１７０】
実施の形態７で説明した周波数軸上のギャップの影響は、第１の帯域とセグメントとが周波数軸上で非連続である場合に生じる。
【０１７１】
一方、第１の帯域とセグメントとが周波数軸上で連続している場合には、実施の形態７のようにPRGの境界を第１の帯域とセグメントとの境界に合わせるよりも、第１の帯域とセグメントとの境界を意識せずにPRGを構成した方が処理を簡易化できる。例えば、実施の形態６（例えば、図１８上図のRBG）で説明したように第１の帯域とセグメントとの境界を意識せずにPBGを構成した場合には、同様に第１の帯域とセグメントとの境界を意識せずにPRGを構成すれば、RBGの割当とプリコーディング設定が簡易化される。
【０１７２】
そこで、本実施の形態では、PRGを構成するRBを適応的に設定変更する場合について説明する。
【０１７３】
本実施の形態に係る基地局及び端末は、実施の形態１に係る基地局１００及び端末２００と基本構成が共通するので、図３及び図４を援用して説明する。
【０１７４】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。また、PRGサイズの決定方法は、実施の形態１〜４で説明したRBGサイズの決定方法の何れかの方法を用いてもよい。つまり、本実施の形態では、実施の形態１〜４で説明した「RBG」を「PRG」に置き換えてPRGサイズを決定することができる。
【０１７５】
図２０は、本実施の形態に係るPRGの決定方法の一例を示す。図２０は、Virtual carrierのPRGサイズを3（3RB）とする。
【０１７６】
基地局１００（制御部１０１）は、第１の帯域とセグメントとが周波数軸上で連続である場合には、第１の帯域とセグメントとの境界を意識せずにPRGを設定する。例えば、図２０上図に示すように、第１の帯域のRB（RB#25）及びセグメントのRB（RB#1,#2）の双方から構成されるPRG#9が存在する。なお、第１の帯域及びセグメントの帯域幅によっては、図２０上図のRBG#9のような第１の帯域及びセグメントの双方のRBを含むPRGが存在しない場合もある。
【０１７７】
一方、基地局１００（制御部１０１）は、Virtual carrierに含まれる第１の帯域とセグメントとが周波数軸上で非連続である場合には、実施の形態７と同様、PRGの境界と、第１の帯域とセグメントとの境界とが一致するようにPRGを設定する。例えば、図２０下図に示すように、各PRGは、第１の帯域のRB又はセグメントのRBの何れか一方のRBによって構成され、第１の帯域のRB及びセグメントのRBの双方から構成されるPRGは存在しない。
【０１７８】
そして、基地局１００は、Virtual carrierに対するPRGの境界に関する情報（設定変更に関する情報）を、上位制御信号（例えば、システム情報（MIB又はSIB）又はRRC信号）を用いて端末２００へ通知する。
【０１７９】
端末２００は、基地局１００から通知される上位制御信号を受信し、受信した上位制御信号に基づいて、Virtual carrierに対するPRG（PRGを構成するRB）の設定を特定する。
【０１８０】
なお、基地局１００から端末２００へのシグナリング(例えばシステム情報(MIB、SIB)又はRRC信号)により適応的にPRGを設定する場合について説明したが、基地局１００及び端末２００は、端末２００に対するVirtual carrierに含まれる第１の帯域及びセグメントの周波数軸上の関係に基づいて、Virtual carrierに設定されるPRG（PRGを構成するRB）を適応的に設定してもよい。
【０１８１】
このようにして、本実施の形態によれば、Virtual carrierを構成する第１の帯域とセグメントとの周波数軸上での連続性に応じて、PRGの構成を設定変更する。これにより、第１の帯域とセグメントとの周波数軸上での連続性に応じて、PRGに対する周波数軸上のギャップに起因する影響を抑圧しつつ、処理を簡易化することができる。
【０１８２】
（実施の形態９）
実施の形態１〜８では、下りリンクデータチャネル(PDSCH)のリソース割当に適用されるパラメータであるRBG又はPRGの決定方法について説明した。これに対し、本実施の形態では、端末がVirtual carrier（第２の帯域）に対するチャネル状態情報（CSI：Channel State Information）を基地局へフィードバックするために必要なパラメータの決定方法について説明する。
【０１８３】
LTE-Advancedでは、CSIフィードバック情報として、フィードバック帯域幅がワイドバンド(全帯域)であるワイドバンドCQI（Channel Quality Indicator）、及び、フィードバック帯域幅がサブバンド単位であるサブバンドCQIがある。サブバンド（「CSIサブバンド」と呼ぶこともある）は、RBG又はPRGと同様、連続した複数のRBから構成される。LTE-Advancedでは、CSIサブバンドに含まれるRB数は、システム帯域幅に応じて決定される（例えば、非特許文献５を参照）。
【０１８４】
そこで、本実施の形態では、実施の形態１〜４で説明したRBGサイズの決定方法と同様の方法を用いて、CSIサブバンドサイズを決定する。すなわち、本実施の形態では、実施の形態１〜４で説明した「RBG」を「CSIサブバンド」に置き換えてCSIサブバンドサイズを決定することができる。
【０１８５】
本実施の形態に係る基地局及び端末は、実施の形態１に係る基地局１００及び端末２００と基本構成が共通するので、図３及び図４を援用して説明する。
【０１８６】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。
【０１８７】
すなわち、本実施の形態に係る基地局１００において、制御部１０１は、第１の帯域と、第１の帯域に対する追加帯域であるセグメントとから構成されるVirtual carrierに対するパラメータ（ここではCSIサブバンドサイズ）を決定し、受信部１１５（送受信機に対応。抽出部１１７も含む）は、パラメータを用いて、第２の帯域で端末２００と通信（CSIフィードバックの受信）を行う。また、本実施の形態に係る端末２００において、制御部２０８は、第１の帯域と、第１の帯域に対する追加帯域であるセグメントとから構成されるVirtual carrierに対するパラメータ（CSIサブバンドサイズ）を決定し、送信部２１５（送受信機に対応。信号割当部２１３も含む）は、パラメータを用いて、第２の帯域で基地局１００と通信（CSIフィードバックの送信）を行う。
【０１８８】
これにより、本実施の形態によれば、例えば、LTE-Advancedにおける様々な帯域幅を柔軟にサポートする無線通信システム、又は、NRにおける端末のRF帯域幅の柔軟な変更を可能する無線通信システムにおいて、セグメントを追加する方法を適用した場合でも、柔軟な帯域幅(例えば、Virtual carrier)での運用に必要なパラメータ（ここではCSIサブバンドサイズ）を適切に決定することができる。
【０１８９】
また、第１の帯域及びセグメントを含む帯域を１つのVirtual carrier(第２の帯域)とみなしてCSIサブバンドを決定する際、第１の帯域のRB及びセグメントのRBの双方を含むCSIサブバンドが構成される可能性がある。このとき、第１の帯域とセグメントとが周波数軸上で非連続の場合（周波数軸上でギャップが存在する場合）、チャネル状態の異なる複数のRBを１つのCSIサブバンドとして扱うことになる。このため、当該CSIサブバンドを用いても高精度なCSIフィードバックが困難となる。
【０１９０】
そこで、本実施の形態では、図２１に示すように、１つのCSIサブバンドを構成するRBが、第１の帯域のRB、又は、セグメントのRBの何れか一方で構成される。つまり、本実施の形態では、基地局１００及び端末２００は、Virtual carrierに設定されるCSIサブバンドの境界（区切り）と、Virtual carrierに含まれる第１の帯域とセグメントとの境界と、が一致するように、CSIサブバンドを設定する。
【０１９１】
例えば、図２１に示すように、Virtual carrier内の第１の帯域とセグメントとの境界付近では、第１の帯域の１つのRB#25によってCSIサブバンド#9が構成され、セグメントの３つのRB#1〜#3によってCSIサブバンド#10が構成される。すなわち、図２１では、CSIサブバンドの境界は、少なくとも、第１の帯域とセグメントとの境界に一致する。換言すると、図２１では、周波数軸上で非連続である第１の帯域及びセグメントの双方のリソースブロックから構成されるCSIサブバンドは存在しない。これにより、図２１に示す各CSIサブバンド内のRBは、周波数軸上で連続しているのでチャネル状態が同程度となる。
【０１９２】
よって、本実施の形態では、第１の帯域とセグメントとが周波数軸上で非連続である場合でも、Virtual carrierに設定されるCSIサブバンドを用いたCSIフィードバック精度に対する、周波数軸上のギャップに起因する影響を抑圧することができる。
【０１９３】
なお、端末２００がワイドバンドCQIを用いるモードに設定された場合、ワイドバンドCQIの帯域幅を、第１の帯域及びセグメントのそれぞれで設定してもよい。
【０１９４】
（実施の形態１０）
本実施の形態では、端末がVirtual carrierに対するCSIを基地局へフィードバックするために必要なパラメータであるCSIサブバンドを構成するRBを決定する方法について説明する。
【０１９５】
実施の形態９で説明した周波数軸上のギャップの影響は、第１の帯域とセグメントとが周波数軸上で非連続である場合に生じる。
【０１９６】
一方、第１の帯域とセグメントとが周波数軸上で連続している場合には、実施の形態９のようにCSIサブバンドの境界を第１の帯域とセグメントとの境界に合わせるよりも、第１の帯域とセグメントとの境界を意識せずにCSIサブバンドを構成した方が処理を簡易化できる。
【０１９７】
そこで、本実施の形態では、CSIサブバンドを構成するRBを適応的に設定変更する場合について説明する。
【０１９８】
本実施の形態に係る基地局及び端末は、実施の形態１に係る基地局１００及び端末２００と基本構成が共通するので、図３及び図４を援用して説明する。
【０１９９】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。また、CSIサブバンドサイズの決定方法は、実施の形態１〜４で説明したRBGサイズの決定方法の何れかの方法を用いてもよい。つまり、本実施の形態では、実施の形態１〜４で説明した「RBG」を「CSIサブバンド」に置き換えてCSIサブバンドサイズを決定することができる。
【０２００】
図２２は、本実施の形態に係るCSIサブバンドの決定方法の一例を示す。図２２は、Virtual carrierのCSIサブバンドサイズを3（3RB）とする。
【０２０１】
基地局１００（制御部１０１）は、第１の帯域とセグメントとが周波数軸上で連続である場合には、第１の帯域とセグメントとの境界を意識せずにCSIサブバンドを設定する。例えば、図２２上図に示すように、第１の帯域のRB（RB#25）及びセグメントのRB（RB#1,#2）の双方から構成されるCSIサブバンド#9が存在する。なお、第１の帯域及びセグメントの帯域幅によっては、図２２上図のCSIサブバンド#9のような第１の帯域及びセグメントの双方のRBを含むCSIサブバンドが存在しない場合もある。
【０２０２】
一方、基地局１００（制御部１０１）は、Virtual carrierに含まれる第１の帯域とセグメントとが周波数軸上で非連続である場合には、実施の形態９と同様、CSIサブバンドの境界と、第１の帯域とセグメントとの境界とが一致するようにCSIサブバンドを設定する。例えば、図２２下図に示すように、各CSIサブバンドは、第１の帯域のRB又はセグメントのRBの何れか一方のRBによって構成され、第１の帯域のRB及びセグメントのRBの双方から構成されるCSIサブバンドは存在しない。
【０２０３】
そして、基地局１００は、Virtual carrierに対するCSIサブバンドの境界に関する情報（設定変更に関する情報）を、上位制御信号（例えば、システム情報（MIB又はSIB）又はRRC信号）を用いて端末２００へ通知する。
【０２０４】
端末２００は、基地局１００から通知される上位制御信号を受信し、受信した上位制御信号に基づいて、Virtual carrierに対するCSIサブバンド（CSIサブバンドを構成するRB）の設定を特定する。
【０２０５】
なお、基地局１００から端末２００へのシグナリング(例えばシステム情報(MIB、SIB)又はRRC信号)により適応的にCSIサブバンドを設定する場合について説明したが、基地局１００及び端末２００は、端末２００に対するVirtual carrierに含まれる第１の帯域及びセグメントの周波数軸上の関係に基づいて、Virtual carrierに設定されるCSIサブバンド（CSIサブバンドを構成するRB）を適応的に設定してもよい。
【０２０６】
このようにして、本実施の形態によれば、Virtual carrierを構成する第１の帯域とセグメントとの周波数軸上での連続性に応じて、CSIサブバンドの構成を設定変更する。これにより、第１の帯域とセグメントとの周波数軸上での連続性に応じて、CSIフィードバック精度に対する周波数軸上のギャップに起因する影響を抑圧しつつ、処理を簡易化することができる。
【０２０７】
（実施の形態１１）
実施の形態１〜１０では、下りリンクデータチャネル(PDSCH)のリソース割当に適用されるパラメータであるRBG、PRG、又は、端末が基地局にフィードバックするCSIの決定方法について説明した。これに対し、本実施の形態では、端末がVirtual carrier（第２の帯域）に対するサウンディング参照信号（SRS：Sounding Reference Signal）を基地局へ送信するために必要なパラメータの決定方法について説明する。
【０２０８】
LTE-Advancedでは、端末は、上りリンクのチャネル品質測定用の参照信号としてSRSを送信することができる。SRSの送信方法として、帯域幅がワイドバンド(全帯域)であるワイドバンドSRS、及び、帯域幅がサブバンド単位であるサブバンドSRSがある。サブバンド（「SRSサブバンド」と呼ぶこともある）は、RBG、PRG又はCSIサブバンドと同様、連続した複数のRBから構成される。LTE-Advancedでは、SRSサブバンドに含まれるRB数は、システム帯域幅に応じて決定される（例えば、非特許文献６を参照）。
【０２０９】
そこで、本実施の形態では、実施の形態１〜４で説明したRBGサイズの決定方法と同様の方法を用いて、SRSサブバンドサイズを決定する。すなわち、本実施の形態では、実施の形態１〜４で説明した「RBG」を「SRSサブバンド」に置き換えてSRSサブバンドサイズを決定することができる。
【０２１０】
本実施の形態に係る基地局及び端末は、実施の形態１に係る基地局１００及び端末２００と基本構成が共通するので、図３及び図４を援用して説明する。
【０２１１】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。
【０２１２】
すなわち、本実施の形態に係る基地局１００において、制御部１０１は、第１の帯域と、第１の帯域に対する追加帯域であるセグメントとから構成されるVirtual carrierに対するパラメータ（ここではSRSサブバンドサイズ）を決定し、受信部１１５（送受信機に対応。抽出部１１７も含む）は、パラメータを用いて、第２の帯域で端末２００と通信（SRSの受信）を行う。また、本実施の形態に係る端末２００において、制御部２０８は、第１の帯域と、第１の帯域に対する追加帯域であるセグメントとから構成されるVirtual carrierに対するパラメータ（SRSサブバンドサイズ）を決定し、送信部２１５（送受信機に対応。信号割当部２１３も含む）は、パラメータを用いて、第２の帯域で基地局１００と通信（SRSの送信）を行う。
【０２１３】
これにより、本実施の形態によれば、例えば、LTE-Advancedにおける様々な帯域幅を柔軟にサポートする無線通信システム、又は、NRにおける端末のRF帯域幅の柔軟な変更を可能する無線通信システムにおいて、セグメントを追加する方法を適用した場合でも、柔軟な帯域幅(例えば、Virtual carrier)での運用に必要なパラメータ（ここではSRSサブバンドサイズ）を適切に決定することができる。
【０２１４】
また、第１の帯域及びセグメントを含む帯域を１つのVirtual carrier(第２の帯域)とみなしてSRSサブバンドを決定する際、第１の帯域のRB及びセグメントのRBの双方を含むSRSサブバンドが構成される可能性がある。このとき、第１の帯域とセグメントとが周波数軸上で非連続の場合（周波数軸上でギャップが存在する場合）、チャネル状態の異なる複数のRBを１つのSRSサブバンドとして扱うことになる。このため、基地局１００では当該SRSサブバンドを用いても高精度なチャネル品質測定が困難となる。
【０２１５】
そこで、本実施の形態では、図２３に示すように、１つのSRSサブバンドを構成するRBが、第１の帯域のRB、又は、セグメントのRBの何れか一方で構成される。つまり、本実施の形態では、基地局１００及び端末２００は、Virtual carrierに設定されるSRSサブバンドの境界（区切り）と、Virtual carrierに含まれる第１の帯域とセグメントとの境界と、が一致するように、SRSサブバンドを設定する。
【０２１６】
例えば、図２３に示すように、Virtual carrier内の第１の帯域とセグメントとの境界付近では、第１の帯域の１つのRB#25によってSRSサブバンド#9が構成され、セグメントの３つのRB#1〜#3によってSRSサブバンド#10が構成される。すなわち、図２３では、SRSサブバンドの境界は、少なくとも、第１の帯域とセグメントとの境界に一致する。換言すると、図２３では、周波数軸上で非連続である第１の帯域及びセグメントの双方のリソースブロックから構成されるSRSサブバンドは存在しない。これにより、図２３に示す各SRSサブバンド内のRBは、周波数軸上で連続しているのでチャネル状態が同程度となる。
【０２１７】
よって、本実施の形態では、第１の帯域とセグメントとが周波数軸上で非連続である場合でも、Virtual carrierに設定されるSRSサブバンドを用いたチャネル品質測定の精度に対する、周波数軸上のギャップに起因する影響を抑圧することができる。
【０２１８】
なお、端末２００がワイドバンドSRSを用いるモードに設定された場合、ワイドバンドSRSの帯域幅を、第１の帯域及びセグメントのそれぞれで設定してもよい。
【０２１９】
（実施の形態１２）
本実施の形態では、端末がVirtual carrierに対するSRSを基地局へ送信するために必要なパラメータであるSRSサブバンドを構成するRBを決定する方法について説明する。
【０２２０】
実施の形態１１で説明した周波数軸上のギャップの影響は、第１の帯域とセグメントとが周波数軸上で非連続である場合に生じる。
【０２２１】
一方、第１の帯域とセグメントとが周波数軸上で連続している場合には、実施の形態１１のようにSRSサブバンドの境界を第１の帯域とセグメントとの境界に合わせるよりも、第１の帯域とセグメントとの境界を意識せずにSRSサブバンドを構成した方が処理を簡易化できる。
【０２２２】
そこで、本実施の形態では、SRSサブバンドを構成するRBを適応的に設定変更する場合について説明する。
【０２２３】
本実施の形態に係る基地局及び端末は、実施の形態１に係る基地局１００及び端末２００と基本構成が共通するので、図３及び図４を援用して説明する。
【０２２４】
なお、基地局１００が第１の帯域に関する情報(帯域幅)及びセグメント(追加帯域)に関する情報(帯域幅)を端末２００へ通知する方法、及び、基地局１００が端末２００へセグメントを設定(使用の開始，終了)する方法は、実施の形態１と同様のため、ここではその説明を省略する。また、SRSサブバンドサイズの決定方法は、実施の形態１〜４で説明したRBGサイズの決定方法の何れかの方法を用いてもよい。つまり、本実施の形態では、実施の形態１〜４で説明した「RBG」を「SRSサブバンド」に置き換えてSRSサブバンドサイズを決定することができる。
【０２２５】
図２４は、本実施の形態に係るSRSサブバンドの決定方法の一例を示す。図２４は、Virtual carrier(第２の帯域)のSRSサブバンドサイズを3（3RB）とする。
【０２２６】
基地局１００（制御部１０１）は、第１の帯域とセグメントとが周波数軸上で連続である場合には、第１の帯域とセグメントとの境界を意識せずにSRSサブバンドを設定する。例えば、図２４上図に示すように、第１の帯域のRB（RB#25）及びセグメントのRB（RB#1,#2）の双方から構成されるCSIサブバンド#9が存在する。なお、第１の帯域及びセグメントの帯域幅によっては、図２４上図のCSIサブバンド#9のような第１の帯域及びセグメントの双方のRBを含むCSIサブバンドが存在しない場合もある。
【０２２７】
一方、基地局１００（制御部１０１）は、Virtual carrierに含まれる第１の帯域とセグメントとが周波数軸上で非連続である場合には、実施の形態１１と同様、SRSサブバンドの境界と、第１の帯域とセグメントとの境界とが一致するようにSRSサブバンドを設定する。例えば、図２４下図に示すように、各SRSサブバンドは、第１の帯域のRB又はセグメントのRBの何れか一方のRBによって構成され、第１の帯域のRB及びセグメントのRBの双方から構成されるSRSサブバンドは存在しない。
【０２２８】
そして、基地局１００は、Virtual carrierに対するSRSサブバンドの境界に関する情報（設定変更に関する情報）を、上位制御信号（例えば、システム情報（MIB又はSIB）又はRRC信号）を用いて端末２００へ通知する。
【０２２９】
端末２００は、基地局１００から通知される上位制御信号を受信し、受信した上位制御信号に基づいて、Virtual carrierに対するSRSサブバンド（SRSサブバンドを構成するRB）の設定を特定する。
【０２３０】
なお、基地局１００から端末２００へのシグナリング(例えばシステム情報(MIB、SIB)又はRRC信号)により適応的にSRSサブバンドを設定する場合について説明したが、基地局１００及び端末２００は、端末２００に対するVirtual carrierに含まれる第１の帯域及びセグメントの周波数軸上の関係に基づいて、Virtual carrierに設定されるSRSサブバンド（SRSサブバンドを構成するRB）を適応的に設定してもよい。
【０２３１】
このようにして、本実施の形態によれば、Virtual carrierを構成する第１の帯域とセグメントとの周波数軸上での連続性に応じて、SRSサブバンドの構成を設定変更する。これにより、第１の帯域とセグメントとの周波数軸上での連続性に応じて、基地局１００でのチャネル品質測定精度に対する周波数軸上のギャップに起因する影響を抑圧しつつ、処理を簡易化することができる。
【０２３２】
以上、本開示の各実施の形態について説明した。
【０２３３】
なお、実施の形態５〜１２では、RBG，PRG，CSIサブバンド又はSRSサブバンドについて、第１の帯域とセグメントとが周波数軸上で非連続である場合に、それぞれの境界を第１の帯域とセグメントとの境界に合わせる方法について説明した。しかし、第１の帯域とセグメントとが周波数軸上で非連続である場合に、第１の帯域とセグメントとの境界を意識せずにRBG，PRG，CSIサブバンド又はSRSサブバンドを構成してもよい。このような場合、例えば、PRGについては、第１の帯域のRB及びセグメントのRBから構成されるPRG（例えば、図２０上図のPRG#9）において、同一PRG内のRB（図２０上図のPRG#9内のRB#25と、RB#1,#2）に対して異なるプリコーディングを適用してもよい。また、CSIサブバンド及びSRSサブバンドについては、端末２００が第１の帯域のRB及びセグメントのRBから構成されるCSIサブバンド（例えば、図２２上図のCSIサブバンド#9）及びSRSサブバンド（例えば、図２４上図のSRSサブバンド#9）の送信をドロップしてもよい。
【０２３４】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３５】
本開示の基地局は、前記第１の帯域と、前記第１の帯域に対する追加帯域であるセグメントとから構成される第２の帯域に対するパラメータを決定する回路と、前記パラメータを用いて、前記第２の帯域で前記端末と通信を行う送受信機と、を具備する。
【０２３６】
本開示の基地局において、前記パラメータは、前記第２の帯域に設定されるリソースブロックグループ（RBG）サイズであり、前記回路は、前記第２の帯域の帯域幅に基づいて、前記RBGサイズを決定する。
【０２３７】
本開示の基地局において、前記パラメータは、前記第２の帯域に設定されるリソースブロックグループ（RBG）サイズであり、前記回路は、前記第１の帯域の帯域幅に基づいて設定されるRBGサイズのX倍（ただし、Xは２以上の整数）を、前記第２の帯域のRBGサイズに決定する。
【０２３８】
本開示の基地局において、前記パラメータは、前記第２の帯域に設定されるリソースブロックグループ（RBG）サイズであり、前記回路は、２のべき乗を、前記RBGサイズに決定する。
【０２３９】
本開示の基地局において、前記RBGサイズは可変であり、前記RBGサイズは前記基地局から前記端末へ通知される。
【０２４０】
本開示の基地局において、前記回路は、前記第２の帯域に設定される複数の前記RBGの境界と、前記第１の帯域と前記セグメントとの境界と、が一致するように、前記RBGを設定する。
【０２４１】
本開示の端末は、前記第１の帯域と、前記第１の帯域に対する追加帯域であるセグメントとから構成される第２の帯域に対するパラメータを決定する回路と、前記パラメータを用いて、前記第２の帯域で基地局と通信を行う送受信機と、を具備する。
【０２４２】
本開示の通信方法は、前記第１の帯域と、前記第１の帯域に対する追加帯域であるセグメントとから構成される第２の帯域に対するパラメータを決定し、前記パラメータを用いて、前記第２の帯域で前記端末と通信を行う。
【０２４３】
本開示の通信方法は、前記第１の帯域と、前記第１の帯域に対する追加帯域であるセグメントとから構成される第２の帯域に対するパラメータを決定し、前記パラメータを用いて、前記第２の帯域で基地局と通信を行う。
【産業上の利用可能性】
【０２４４】
本開示の一態様は、移動通信システムに有用である。
【符号の説明】
【０２４５】
１００  基地局
１０１，２０８  制御部
１０２  データ生成部
１０３，１０６，１０９，２１０  符号化部
１０４，１０７，１１０，２１１  変調部
１０５  上位制御信号生成部
１０８  下り制御信号生成部
１１１，２１３  信号割当部
１１２，２１４  IFFT部
１１３，２１５  送信部
１１４，２０１  アンテナ
１１５，２０２  受信部
１１６，２０３  FFT部
１１７，２０４  抽出部
１１８  CSI復調部
１１９  SRS測定部
２０５  下り制御信号復調部
２０６  上位制御信号復調部
２０７  下りデータ信号復調部
２０９  CSI生成部
２１２  SRS生成部
【図１】
2020504468.tif 000003
【図２】
2020504468.tif 000004
【図３】
2020504468.tif 000005
【図４】
2020504468.tif 000006
【図５】
2020504468.tif 000007
【図６】
2020504468.tif 000008
【図７】
2020504468.tif 000009
【図８】
2020504468.tif 000010
【図９】
2020504468.tif 000011
【図１０】
2020504468.tif 000012
【図１１】
2020504468.tif 000013
【図１２】
2020504468.tif 000014
【図１３】
2020504468.tif 000015
【図１４】
2020504468.tif 000016
【図１５】
2020504468.tif 000017
【図１６】
2020504468.tif 000018
【図１７】
2020504468.tif 000019
【図１８】
2020504468.tif 000020
【図１９】
2020504468.tif 000021
【図２０】
2020504468.tif 000022
【図２１】
2020504468.tif 000023
【図２２】
2020504468.tif 000024
【図２３】
2020504468.tif 000025
【図２４】
2020504468.tif 000026
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
第１の帯域、又は、前記第１の帯域を拡張した第２の帯域におけるリソースを端末に割り当てる単位である、リソースブロックグループを構成するリソースブロック数を設定する回路と、
前記リソースを用いて、前記端末と通信を行う送受信機と、
を具備し、
前記第１の帯域において設定される前記リソースブロック数と、前記第２の帯域において設定される前記リソースブロック数は、整数倍の関係を有する、
基地局。
【請求項２】
前記第１の帯域の前記リソースブロック数は、前記第１の帯域の帯域幅に基づいて設定され、前記第２の帯域の前記リソースブロック数は、前記第２の帯域の帯域幅に基づいて設定される、
請求項１に記載の基地局。
【請求項３】
前記第２の帯域の前記リソースブロック数は、前記第１の帯域の帯域幅ではなく、前記第２の帯域の帯域幅に基づいて、設定される、
請求項１又は２に記載の基地局。
【請求項４】
前記第１の帯域において設定される前記リソースブロック数と、前記第２の帯域において設定される前記リソースブロック数は、２のべき乗である、
請求項１から３のいずれかに記載の基地局。
【請求項５】
前記第２の帯域におけるリソースブロックを構成する複数のサブキャリアの間隔が、前記第１の帯域におけるリソースブロックを構成する複数のサブキャリアの間隔とは異なる、
請求項４に記載の基地局。
【請求項６】
前記リソースブロックを構成する前記複数のサブキャリアの数は、前記複数のサブキャリアの間隔によらず、１２である、
請求項５に記載の基地局。
【請求項７】
前記送受信機は、前記リソースブロックグループを構成するリソースブロック数に関する情報を、前記端末に送信する、
請求項１から６のいずれかに記載の基地局。
【請求項８】
前記送受信機は、前記第１の帯域の帯域幅に関する情報と、前記第２の帯域の帯域幅に関する情報とを、前記端末に送信する、
請求項１から７のいずれかに記載の基地局。
【請求項９】
前記送受信機は、前記第１の帯域において、制御情報を前記端末に送信し、前記第２の帯域において、データを前記端末に送信する、
請求項１から８のいずれかに記載の基地局。
【請求項１０】
第１の帯域、又は、前記第１の帯域を拡張した第２の帯域におけるリソースを端末に割り当てる単位である、リソースブロックグループを構成するリソースブロック数を設定する工程と、
前記リソースを用いて、前記端末と通信を行う工程と、
を具備し、
前記第１の帯域において設定される前記リソースブロック数と、前記第２の帯域において設定される前記リソースブロック数は、整数倍の関係を有する、
通信方法。
【請求項１１】
前記第１の帯域の前記リソースブロック数は、前記第１の帯域の帯域幅に基づいて設定され、前記第２の帯域の前記リソースブロック数は、前記第２の帯域の帯域幅に基づいて設定される、
請求項１０に記載の通信方法。
【請求項１２】
前記第２の帯域の前記リソースブロック数は、前記第１の帯域の帯域幅ではなく、前記第２の帯域の帯域幅に基づいて、設定される、
請求項１０又は１１に記載の通信方法。
【請求項１３】
前記第１の帯域において設定される前記リソースブロック数と、前記第２の帯域において設定される前記リソースブロック数は、２のべき乗である、
請求項１０から１２のいずれかに記載の通信方法。
【請求項１４】
前記第２の帯域におけるリソースブロックを構成する複数のサブキャリアの間隔が、前記第１の帯域におけるリソースブロックを構成する複数のサブキャリアの間隔とは異なる、
請求項１３に記載の通信方法。
【請求項１５】
前記リソースブロックを構成する前記複数のサブキャリアの数は、前記複数のサブキャリアの間隔によらず、１２である、
請求項１４に記載の通信方法。
【請求項１６】
前記リソースブロックグループを構成するリソースブロック数に関する情報を、前記端末に送信する、
請求項１０から１５のいずれかに記載の通信方法。
【請求項１７】
前記第１の帯域の帯域幅に関する情報と、前記第２の帯域の帯域幅に関する情報とを、前記端末に送信する、
請求項１０から１６のいずれかに記載の通信方法。
【請求項１８】
前記第１の帯域において、制御情報を前記端末に送信し、前記第２の帯域において、データを前記端末に送信する、
請求項１０から１７のいずれかに記載の通信方法。
【請求項１９】
第１の帯域、又は、前記第１の帯域を拡張した第２の帯域におけるリソースを端末に割り当てる単位である、リソースブロックグループを構成するリソースブロック数を設定する処理と、
前記リソースを用いて、前記端末と通信を行う処理と、
を制御し、
前記第１の帯域において設定される前記リソースブロック数と、前記第２の帯域において設定される前記リソースブロック数は、整数倍の関係を有する、
集積回路。
【手続補正３】
【補正対象書類名】明細書
【補正対象項目名】０００１
【補正方法】変更
【補正の内容】
【０００１】
本開示は、基地局、通信方法及び集積回路に関する。
【国際調査報告】
2020504468.tif 000027
2020504468.tif 000028